(57)【要約】【課題】利便性の高い点灯装置およびそれを用いた照明装置を提供する。【解決手段】照明装置１は、電力が供給されると点灯する点灯負荷２と、点灯負荷２を点灯させる点灯装置３とを備える。点灯装置３は、点灯負荷２へ電力を供給する電力供給部３１と、電力供給部３１を制御するマイコン３３とを備える。マイコン３３は、電力供給部３１から点灯負荷２への供給電力の電力値を設定する点灯制御部３３３と、外部電源５と電力供給部３１との間の通電を遮断可能なスイッチ３４による所定時間以下の一時的遮断を検出する遮断検出部３３４とを備える。点灯制御部３３３は、遮断検出部３３４で一時的遮断が検出された場合に、電力供給部３１から点灯負荷２への供給電力を規定値に変更する。【選択図】図１
2013069501.tif 000002
【特許請求の範囲】
【請求項１】
点灯負荷へ電力を供給する電力供給部と、
点灯制御内容を示す点灯制御信号に応じて前記電力供給部から前記点灯負荷への供給電力の電力値を連続的に変更する点灯制御部と、
外部電源と前記電力供給部との間の通電を遮断可能な通電遮断部による所定時間以下の一時的遮断を検出する遮断検出部とを備え、
前記点灯制御部は、前記遮断検出部で前記一時的遮断が検出された場合に、予め決められた規定値へ前記供給電力を変更する
ことを特徴とする点灯装置。
【請求項２】
前記点灯制御信号の有無を当該点灯制御信号の電圧レベルから検出する信号検出部を備え、
前記点灯制御部は、前記点灯制御信号の入力がないと前記信号検出部で検出された場合に、前記遮断検出部の検出結果に応じて前記供給電力を前記規定値へ変更する
ことを特徴とする請求項１記載の点灯装置。
【請求項３】
前記点灯負荷は、複数色の光を発する光源であり、
前記点灯制御部は、前記点灯制御信号に応じて前記点灯負荷の光色を変更するように前記供給電力を設定する一方、前記遮断検出部で前記一時的遮断が検出された場合に、前記点灯負荷が予め決められた光色になるように前記供給電力を変更する
ことを特徴とする請求項１または２記載の点灯装置。
【請求項４】
前記点灯制御信号は、位相調光の導通位相角であり、
前記点灯制御部は、前記導通位相角に応じて前記点灯負荷を連続的に調光するように前記供給電力を設定する
ことを特徴とする請求項１〜３のいずれか１項に記載の点灯装置。
【請求項５】
前記点灯制御部は、前記一時的遮断が発生した後に通電が再開した場合、前記供給電力を徐々に増加させて所定の電力値へ移行させることを特徴とする請求項１〜４のいずれか１項に記載の点灯装置。
【請求項６】
前記点灯負荷は、複数色の光を発する光源であり、
前記点灯制御部は、前記一時的遮断が発生した後に通電が再開した場合、前記点灯負荷の光色を一定に保ちながら前記供給電力を徐々に増加させて前記所定の電力値へ移行させる
ことを特徴とする請求項５記載の点灯装置。
【請求項７】
前記遮断検出部が前記一時的遮断と検出する前記所定時間は、０．２秒以上２秒未満であることを特徴とする請求項１〜６のいずれか１項に記載の点灯装置。
【請求項８】
前記信号検出部は、前記一時的遮断の前に検出した検出結果を当該一時的遮断中も維持することを特徴とする請求項２記載の点灯装置。
【請求項９】
請求項１〜８のいずれか１項に記載の点灯装置と、
前記点灯装置から電力が供給されると点灯する点灯負荷と
を備えることを特徴とする照明装置。
【発明の詳細な説明】
【技術分野】
【０００１】
本発明は、点灯負荷を点灯させる点灯装置およびそれを用いた照明装置に関する。
【背景技術】
【０００２】
近年、照明光源としてＬＥＤ（Light Emitting Diode）が普及してきている。これに伴い、照明装置は低コスト化および高機能化が要求されている。
【０００３】
ＬＥＤは、白熱電球や放電灯よりも光色を自由にコントロールしやすく、これにより、状況に応じた調光および調色制御のＬＥＤ照明装置も多く開発されてきている（例えば特許文献１参照）。特にＲＧＢ３種類のＬＥＤ出力を個別に調光制御を行うことによって、色再現性の高い照明装置を実現することができる。
【０００４】
ところで、点灯状態を可変して多数のＬＥＤを同時に点灯させる調光システムでは、調光レベルの誤差によって所望の調光レベルにならないという問題があった。すなわち、複数の点灯装置に単一の調光信号を送る場合、各点灯装置での読み込み誤差で調光誤差が生じるのである。
【０００５】
このような調光信号の読み込み誤差を小さくするためには、調光信号専用の信号線（調光信号線）によって調光信号を各点灯装置へ伝送する４線式調光が有効である。
【先行技術文献】
【特許文献】
【０００６】
【特許文献１】特開２０１１−１７１００６号公報
【発明の概要】
【発明が解決しようとする課題】
【０００７】
ところで、このような点灯装置はさまざまな場所に設置されるが、点灯装置の全てに調光信号線を接続すると施工コストがかかるので省略されることがある。
【０００８】
このように調光信号線を省略した場合、点灯装置への調光信号の入力はなくなるため、点灯負荷の点灯状態は一定となる。調光信号線の省略時の点灯状態が空間演出に適していれば問題はないが、点灯状態が適していないと違和感を生じさせることになる。このため、点灯装置の電源を遮断して点灯負荷を消灯させるなどの制御を行うことになる。本来ならば、調光機能のない低コストの点灯装置で置き換えることが考えられるが、色味が一致しないなどの新たな問題があった。
【０００９】
本発明は上記の点に鑑みて為された発明であり、本発明の目的は、利便性の高い点灯装置およびそれを用いた照明装置を提供することにある。
【課題を解決するための手段】
【００１０】
本発明の点灯装置は、点灯負荷へ電力を供給する電力供給部と、点灯制御内容を示す点灯制御信号に応じて前記電力供給部から前記点灯負荷への供給電力の電力値を連続的に変更する点灯制御部と、外部電源と前記電力供給部との間の通電を遮断可能な通電遮断部による所定時間以下の一時的遮断を検出する遮断検出部とを備え、前記点灯制御部は、前記遮断検出部で前記一時的遮断が検出された場合に、予め決められた規定値へ前記供給電力を変更することを特徴とする。
【００１１】
この点灯装置において、前記点灯制御信号の有無を当該点灯制御信号の電圧レベルから検出する信号検出部を備え、前記点灯制御部は、前記点灯制御信号の入力がないと前記信号検出部で検出された場合に、前記遮断検出部の検出結果に応じて前記供給電力を前記規定値へ変更することが好ましい。
【００１２】
この点灯装置において、前記点灯負荷は、複数色の光を発する光源であり、前記点灯制御部は、前記点灯制御信号に応じて前記点灯負荷の光色を変更するように前記供給電力を設定する一方、前記遮断検出部で前記一時的遮断が検出された場合に、前記点灯負荷が予め決められた光色になるように前記供給電力を変更することが好ましい。
【００１３】
この点灯装置において、前記点灯制御信号は、位相調光の導通位相角であり、前記点灯制御部は、前記導通位相角に応じて前記点灯負荷を連続的に調光するように前記供給電力を設定することが好ましい。
【００１４】
この点灯装置において、前記点灯制御部は、前記一時的遮断が発生した後に通電が再開した場合、前記供給電力を徐々に増加させて所定の電力値へ移行させることが好ましい。
【００１５】
この点灯装置において、前記点灯負荷は、複数色の光を発する光源であり、前記点灯制御部は、前記一時的遮断が発生した後に通電が再開した場合、前記点灯負荷の光色を一定に保ちながら前記供給電力を徐々に増加させて前記所定の電力値へ移行させることが好ましい。
【００１６】
この点灯装置において、前記遮断検出部が前記一時的遮断と検出する前記所定時間は、０．２秒以上２秒未満であることが好ましい。
【００１７】
この点灯装置において、前記信号検出部は、前記一時的遮断の前に検出した検出結果を当該一時的遮断中も維持することが好ましい。
【００１８】
本発明の照明装置は、前記点灯装置と、前記点灯装置から電力が供給されると点灯する点灯負荷とを備えることを特徴とする。
【発明の効果】
【００１９】
本発明によれば、点灯制御信号に応じた点灯制御と通電遮断部の動作に応じた点灯制御とのどちらも行うことができるので、利便性を高くすることができる。
【図面の簡単な説明】
【００２０】
【図１】実施形態１に係る照明装置の回路図である。
【図２】同上に係る照明装置において、調光信号に対する色温度および光束を示す特性図である。
【図３】（ａ）は同上に係る照明装置の状態遷移図、（ｂ）は同上に係る照明装置の変形例の状態遷移図、（ｃ）は同上に係る照明装置の他の変形例の状態遷移図である。
【図４】同上に係る照明装置の動作の一例を示すタイムチャートである。
【図５】同上に係る照明装置の変形例において、調光信号に対する色温度および光束を示す特性図である。
【図６】実施形態２に係る照明装置の動作の一例を示すタイムチャートである。
【図７】実施形態３に係る照明装置において、調光信号に対する色温度および光束を示す特性図である。
【図８】実施形態４に係る照明装置の回路図である。
【図９】同上に係る照明装置の動作を説明するためのタイムチャートである。
【図１０】同上に係る照明装置において、調光信号に対する色温度および光束を示す特性図である。
【発明を実施するための形態】
【００２１】
以下の実施形態１〜４では、点灯負荷を点灯させる点灯装置およびそれを用いた照明装置について説明する。
【００２２】
（実施形態１）
実施形態１に係る照明装置１は、図１に示すように、複数色の光を発する点灯負荷２と、点灯負荷２を点灯させる点灯装置３とを備えている。点灯装置３の入力側には外部電源５が接続され、点灯装置３の出力側には点灯負荷２が接続されている。
【００２３】
外部電源５は、例えば商用電源などの交流電源であり、交流電力を点灯装置３に供給する。
【００２４】
点灯負荷２は、互いに光色が異なる複数種類のＬＥＤ２１，２２，２３で構成されている。具体的には、点灯負荷２は、第１のＬＥＤ２１と、第２のＬＥＤ２２と、第３のＬＥＤ２３とを備えている。第１のＬＥＤ２１と第２のＬＥＤ２２と第３のＬＥＤ２３との各々は、点灯装置３から直流電力が供給されると点灯する。第１のＬＥＤ２１と第２のＬＥＤ２２と第３のＬＥＤ２３との各々への供給電力の組み合わせによって、点灯負荷２は、複数色の光を発することができる。すなわち、点灯負荷２は、第１のＬＥＤ２１の光と第２のＬＥＤ２２の光と第３のＬＥＤ２３の光とが混色した光を放射する。
【００２５】
点灯装置３は、点灯負荷２へ直流電力を供給する電力供給部３１と、調光器４から調光信号を受け取る調光入力部３２と、電力供給部３１から点灯負荷２への供給電力の電力値を設定するマイコン３３とを備えている。また、点灯装置３は、外部電源５と電力供給部３１との間に挿入されるスイッチ３４の両端の通電状態を検出する検出回路３５を備えている。
【００２６】
電力供給部３１は、整流器３１１と、ＤＣ／ＤＣコンバータ３１２と、コンデンサ３１３と、複数（図示例では３つ）のＤＣ／ＤＣコンバータ３１４，３１５，３１６とを備え、点灯負荷２へ直流電力を供給する。
【００２７】
整流器３１１は、例えばダイオードブリッジなどであり、外部電源５からの交流電圧である入力電圧Ｖ１を、脈流を含んだ電圧に変換する。ＤＣ／ＤＣコンバータ３１２は、脈流を含んだ電力を直流電力に変換する。複数のＤＣ／ＤＣコンバータ３１４，３１５，３１６は、第１のＬＥＤ２１へ直流電力を供給する第１のＤＣ／ＤＣコンバータ３１４と、第２のＬＥＤ２２へ直流電力を供給する第２のＤＣ／ＤＣコンバータ３１５と、第３のＬＥＤ２３へ直流電力を供給する第３のＤＣ／ＤＣコンバータ３１６とで構成されている。コンデンサ３１３から複数のＤＣ／ＤＣコンバータ３１４，３１５，３１６へは電流Ｉ１が流れる。各ＤＣ／ＤＣコンバータ３１４，３１５，３１６は、マイコン３３からのＰＷＭ信号に応じてコンデンサ３１３の電圧Ｖ２が入力し、ＬＥＤ２１，２２，２３の点灯・消灯の動作を行う。第１のＤＣ／ＤＣコンバータ３１４から第１のＬＥＤ２１へは出力電流Ｉ２１が流れ、第２のＤＣ／ＤＣコンバータ３１５から第２のＬＥＤ２２へは出力電流Ｉ２２が流れ、第３のＤＣ／ＤＣコンバータ３１６から第３のＬＥＤ２３へは出力電流Ｉ２３が流れる。
【００２８】
調光入力部３２は、調光器４から調光信号（点灯制御信号）６１を受け取り、この調光信号６１をマイコン３３の入力に適した信号に変換する。調光器４は、ユーザによるつまみ（図示せず）への操作によって点灯負荷２を連続的に調光させるための機器であり、上記操作に応じた調光信号６１を出力する。調光信号６１は、例えばＰＷＭ（Pulse Width Modulation）である。なお、調光信号６１は、ＰＷＭ信号には限定されず、例えば非同期シリアル通信信号などであってもよい。
【００２９】
スイッチ３４は、例えば壁スイッチなどであり、外部電源５と電力供給部３１との間に挿入されて設けられている。スイッチ３４は、外部電源５と電力供給部３１との間の通電を遮断可能な通電遮断部である。
【００３０】
検出回路３５は、外部電源５から電力供給部３１へ印加される交流電圧を検出し、外部電源５と電力供給部３１との間の通電状態を示す電源検出信号６２をマイコン３３へ送出する。
【００３１】
マイコン３３は、後述の記憶部３３１と信号検出部３３２と点灯制御部３３３と遮断検出部３３４との各機能を実現する。
【００３２】
記憶部３３１は、調光信号６１に対する点灯負荷２の色温度および光束を示す負荷出力特性を予め記憶する。本実施形態の負荷出力特性は、図２に示すように、調光信号６１のＡ／Ｄ電圧が高いほど、調光が深まり、色温度が低くなるような特性である。すなわち、図２に示す負荷出力特性は、調光信号６１の電圧レベルに応じて色温度と光束とが連続的に変化する特性である。この負荷出力特性において、調光器４が接続されていない場合、調光信号は０Ｖであり、点灯負荷２の色温度と光束（光出力）とが最大の状態である。なお、調光信号６１の電圧レベルが１Ｖ以下では、色温度のみが変化して光束が一定であるが、個々のＬＥＤ２１，２２，２３は、調光信号６１の電圧レベルに応じて供給電力が連続的に変化しているから、連続調光する。
【００３３】
点灯制御部３３３は、調光入力部３２から調光信号６１を取得し、この調光信号６１に対応する負荷出力を負荷出力特性から選択する。負荷出力を選択した点灯制御部３３３は、電力供給部３１から点灯負荷２への供給電力を、選択した負荷出力を実現するための電力値に設定する。具体的には、点灯制御部３３３は、調光入力部３２からの調光信号６１をＡ／Ｄ変換し、この調光信号６１に対応する色温度と光束とになるように第１のＰＷＭ信号６３と第２のＰＷＭ信号６４と第３のＰＷＭ信号６５との各々の周期およびデューティを決定する。点灯制御部３３３は、第１のＰＷＭ信号６３を第１のＤＣ／ＤＣコンバータ３１４へ出力し、第２のＰＷＭ信号６４を第２のＤＣ／ＤＣコンバータ３１５へ出力し、第３のＰＷＭ信号６５を第３のＤＣ／ＤＣコンバータ３１６へ出力する。
【００３４】
調光信号６１は周波数１ｋＨｚでデューティ５％〜９５％である。このデューティの範囲は、調光信号６１を受信するインターフェース回路に用いられる汎用フォトカプラのスイッチング特性から制限される。すなわち、汎用フォトカプラでは、パルス信号の伝達遅延が数十マイクロ秒程度存在するため、伝達できるパルス幅が５０マイクロ秒程度で限界となるためである。したがって、調光信号６１が１００Ｈｚの周波数であれば、デューティは０．５％〜９９．５％まで設定可能である。
【００３５】
調光信号６１は、デューティ５％で約０．２５Ｖである。この状態でも第１の点灯状態（第１の定格）となるようにフラットな特性とすれば、調光信号６１がない場合と定格調光時の設定が一致する。第１の点灯状態は、例えば昼白色状態であり、色温度５０００Ｋ、光束３００ｍｌである。また、調光信号６１の電圧値が大きくなると、点灯負荷２の光束と色温度とを同時に小さくさせていく特性になっている。
【００３６】
信号検出部３３２は、調光入力部３２からの調光信号６１の電圧レベルから調光信号６１の有無を検出する。
【００３７】
調光信号６１が０Ｖである場合、信号検出部３３２は、調光器４が点灯装置３に接続されておらず、調光信号６１の入力がないことを検出することができる。ただし、実際には、ノイズなどで数十ｍＶの誤差が生じる可能性があるので、閾値を最小デューティの半分の電圧値（０．１２５Ｖ付近）とするのがよい。さらに、調光信号６１の有無の判定は、点灯前の数百ミリ秒間（例えば２００ミリ秒）での入力値の平均値を用いれば、精度よく判定することができる。
【００３８】
遮断検出部３３４は、検出回路３５からの電源検出信号６２をモニタすることで、外部電源５の停電以外のスイッチ３４の瞬間的なオフ（すなわちオン−オフ−オン）を検出し、この瞬時的なオフ時間が一定時間以内であることを判定する。遮断検出部３３４が一時的遮断と検出するオフ時間は、０．２秒以上２秒未満である。より好ましいのは、オフ時間が０．２秒以上１．５秒以下である。
【００３９】
点灯制御部３３３は、検出回路３５からの電源検出信号６２に応じて、点灯負荷２を消灯させたり、点灯負荷２の動作モード（点灯状態）を変更させたりする。信号検出部３３２で調光信号６１の入力がないと検出された場合に、遮断検出部３３４で一時的遮断が検出されると、点灯制御部３３３は、定格点灯状態を変更する。すなわち、点灯制御部３３３は、電力供給部３１から点灯負荷２への供給電力を規定値へ変更する。規定値は、負荷出力特性のうち予め決められた点灯状態を実現するための電力値である。なお、０．２秒は一般的な瞬時停電時間よりも長いため、意図しない動作モード変更を防止することができる。一方、停電時間１．５秒以上では、電源投入状態へリセットするようにすれば、明示的なリセット操作を行うことができる。
【００４０】
ところで、調光器４が接続されている場合でも、１秒以上の電源遮断では、調光器４の特性によっては調光信号６１が消失してしまう。その結果、マイコン３３の信号検出部３３２が停電中に調光信号６１がないと判定し、再度電源投入されたときに点灯動作が変更されてしまうという不具合が生じる。このため、信号検出部３３２は、停電を検出しているときは、調光信号６１の有無の判定結果を停電前のまま維持するようにする。すなわち、信号検出部３３２は、一時的遮断の前後で調光信号の検出レベルを維持する。なお、停電復帰後、直ぐに調光信号６１を出力しない調光器４に対応するために、信号検出部３３２は、電源復帰直後から一定時間後に調光信号６１の有無を判定してもよい。
【００４１】
上記より、マイコン３３では、遮断検出部３３４で一時的遮断が検出された場合に、点灯制御部３３３は、点灯負荷２の光が予め決められた光色になるように供給電力を変更することができる。
【００４２】
なお、マイコン３３への供給電力は、外部電源５の遮断から３秒程度維持できるように設計され、外部電源５の遮断直後に内部データの不揮発性メモリへの保存も行えるようにする。
【００４３】
次に、本実施形態に係る照明装置１の動作について図４を用いて説明する。まず、調光信号６１の入力がない場合、点灯負荷２は第１の点灯状態（第１の定格）で点灯している。時刻ｔ１でスイッチ３４による外部電源５と電力供給部３１との間で遮断が発生し、電源検出信号６２がオフの信号状態となる。このとき、マイコン３３は、電源遮断を検出し、各ＬＥＤ２１，２２，２３を消灯させる。
【００４４】
その後、時刻ｔ２でスイッチ３４がオンになって外部電源５が再投入されると、電源検出信号６２はオン信号となる。このとき、マイコン３３は、電源復旧を検出する。さらに、マイコン３３は、このときの停電時間を検出し、停電時間が０．２以上１．５秒以下であると判断すると、定格点灯モードを第２の定格へ変更する。
【００４５】
次に、本実施形態の状態変更の一例について図３（ａ）を用いて説明する。まず、長期的なオフから外部電源５が投入されて電源オンになる。マイコン３３は、調光信号がない、すなわち調光器４がない信号レベルと判定すると、点灯負荷２を第１の点灯状態（第１の定格）で点灯させる。この状態で、スイッチ３４による瞬時的なオフを検出すると、点灯負荷２を第２の点灯状態（第２の定格）で点灯させる。このようにスイッチ３４の操作で第１の点灯状態と第２の点灯状態とを切り替える。一方、調光信号６１がある場合、通常モードになり、瞬時的なオフで点灯負荷２の点灯状態を変更することはない。
【００４６】
以上の説明より、本実施形態によれば、調光信号６１に応じた点灯制御もスイッチ（通電遮断部）３４への動作に応じた点灯制御も行うことができるので、利便性を高くすることができる。
【００４７】
本実施形態によれば、スイッチ３４での一時的遮断で点灯負荷２への供給電力を規定値へ変更することによって、点灯負荷２の点灯状態（定格点灯状態）を切り替えることができる。すなわち、初期の定格点灯を負荷出力特性の任意のポイントに設定することができるので、例えば電球色メインの負荷出力を行う場合に、調光器４が接続されていない点灯装置３が設置されていても違和感のない空間演出が可能となる。
【００４８】
また、本実施形態によれば、スイッチ３４での一時的遮断によって定格点灯状態を切り替えることができるので、調光信号（点灯制御信号）の入力がない場合であっても、点灯負荷２の光を周囲の色味と合わせることができる。
【００４９】
さらに、本実施形態によれば、スイッチ３４での一時的遮断によって、点灯負荷２の明るさ（光束）とともに光色（色温度）も簡易的に変更させることができる。
【００５０】
本実施形態の点灯装置３は、調光器４のつまみ（図示せず）への操作によって点灯負荷２を連続的に調光させる方式にも、操作部（図示せず）への操作によって点灯負荷２を段階的に調光する場合にも適用することができる。これにより、さまざまな照明方式に対応することができる。
【００５１】
なお、点灯装置３は、２つの点灯状態を切り替えるだけではなく、図５に示すように３つ以上（図示例では３つ）の点灯状態を切り替えることも可能である。図５の第３の点灯状態（図５の（３））は、光束を２５％まで低下させた状態である。この場合の状態変化は図３（ｂ）のようになる。また、点灯装置３は、図３（ｃ）に示す状態変化で点灯負荷２の点灯状態を切り替えてもよい。すなわち、点灯装置３は、外部電源５がリセットされた場合に、点灯負荷２を調光信号６１の０Ｖの状態（第１の点灯状態）で点灯させなくても、最初から第２の点灯状態で点灯負荷２を点灯するようなプログラムを実行してもよい。これにより、点灯負荷２を白熱電球と組み合わせた場合に、違和感のない点灯を実現することができる。これらの動作は、電源基板に設定用スイッチ（図示せず）を設けて変更してもよい。
【００５２】
（実施形態２）
実施形態２に係る照明装置１は、図６に示すように色温度一定で点灯負荷２の光束がフェードインする点で、実施形態１に係る照明装置１と相違する。なお、実施形態１の照明装置１と同様の構成要素については、同一の符号を付して説明を省略する。
【００５３】
点灯装置３では、点灯負荷２の光束のフェードインを行わない場合、電源復帰直後の急峻な点灯にＤＣ／ＤＣコンバータ３１２の出力が追従できず、ＤＣ／ＤＣコンバータ３１２の出力電圧低下などが発生し、ちらつきが発生することがある。このため、点灯装置３は、点灯負荷２への供給電力を徐々に増加させる必要がある。
【００５４】
そこで、本実施形態のマイコン３３において、点灯制御部３３３は、スイッチ３４による一時的遮断が発生した後に通電が再開した場合、点灯負荷２の光色を一定に保ちながら供給電力を徐々に増加させて所定の電力値へ移行させる。
【００５５】
本実施形態に係る照明装置１の動作の一例についてとして、図６に示すように、時刻ｔ１で遮断した後、点灯制御部３３３は、時刻ｔ２の電源復帰タイミングから時刻ｔ３にかけてＬＥＤ２１，２２，２３への出力電流Ｉ２１，Ｉ２２，Ｉ２３（ＬＥＤ２１，２２，２３への供給電力）を徐々に増加させている。これにより、時刻ｔ２から時刻ｔ３にかけて点灯負荷２の光束が徐々に増加する。
【００５６】
以上の説明より、本実施形態によれば、時刻ｔ２〜ｔ３の間において、電力供給部３１のＤＣ／ＤＣコンバータ３１２が十分に負荷変動に追従することができるので、再点灯時のちらつきなどを防止することができる。
【００５７】
また、本実施形態によれば、点灯負荷２への供給電力を徐々に増加させる際に、点灯負荷２の光色を一定にすることによって、違和感のない光束の増加が可能となる。
【００５８】
なお、本実施形態のマイコン３３は、出力電流Ｉ１，Ｉ２，Ｉ３を図６に示すように直線的に変化させることに限定されず、色温度が略一定であれば、図６以外の他の特性で出力電流Ｉ１，Ｉ２，Ｉ３を変化させてもよい。
【００５９】
（実施形態３）
実施形態３に係る照明装置１は、スイッチ３４による一時的遮断（外部電源５のオンオフ）で調色特性（色温度特性）を変更する点で、実施形態１に係る照明装置１と相違する。なお、実施形態１の照明装置１と同様の構成要素については、同一の符号を付して説明を省略する。
【００６０】
図７は、調光信号６１に対する光束と２種類の色温度との負荷出力特性を示している。第１の調色特性（図７の（ａ１））は、白色に近い特性であり、第２の調色特性（図７の（ａ２））は、調光信号６１の電圧レベルにかかわらず色温度を白熱電球の色温度で一定とした特性である。
【００６１】
本実施形態のマイコン３３は、調光信号６１が常に与えられている場合でも、スイッチ３４による一時的遮断によって調色特性を変更する。例えば、初期の調色特性として第１の調色特性が設定されている場合、スイッチ３４による一時的遮断を検出すると、マイコン３３は、第２の調色特性に変更する。
【００６２】
以上の説明より、本実施形態によれば、シーンに応じた調色特性を選択することができる。
【００６３】
なお、スイッチ３４による一時的遮断による調色特性の選択にずれが生じた場合、調光信号６１で消灯させる領域を設け、その状態で一時的遮断を行って同期させればよい。
【００６４】
（実施形態４）
実施形態４に係る照明装置１は、図８に示すように位相調光器（サイリスタ調光器）３６および第２のスイッチ３７に点灯装置３が接続されている点で、実施形態１に係る照明装置１と相違する。なお、実施形態１の照明装置１と同様の構成要素については、同一の符号を付して説明を省略する。
【００６５】
第２のスイッチ３７は、位相調光器３６の入出力をバイパスするために設けられている。
【００６６】
位相調光器３６は、双方向サイリスタ３６１を備え、スイッチ３４とともに、外部電源５と電源供給部３１との間に直列に接続されている。第２のスイッチ３７が位相調光器３６側に導通している場合に、位相調光器３６は、外部電源５に同期して所定の導通位相角で電力供給部３１へ電力供給する。
【００６７】
本実施形態の検出回路３５は、電力供給部３１に印加される入力電圧Ｖ１を判定値σ１と比較し、比較結果に応じたパルス信号（点灯制御信号）６６をマイコン３３へ出力する。例えば位相調光で導通位相角が９０°である場合、検出回路３５は、図９に示すように周期（１／２）Ｔ１でのパルス信号６６のハイ（High）レベル期間Ｄ２を設定する。
【００６８】
本実施形態のマイコン３３において、信号検出部３３２は、検出回路３５からパルス信号６６を受け取ると、このパルス信号６６から調光レベルを検出する。点灯制御部３３３は、信号検出部３３２で検出されたパルス信号６６の調光レベルに応じた点灯負荷２への供給電力を設定する。すなわち、点灯制御部３３３は、導通位相角に応じた点灯負荷２の負荷出力となるように供給電力を設定する。
【００６９】
図１０は、パルス信号６６の導通位相角に対する負荷出力（光束・色温度）を示す負荷出力特性を示している。図１０の（ａ）は色温度を示し、（ｂ）は光束を示している。導通位相角３０°以下では、点灯負荷２は消灯する。導通位相角３０°〜１５０°では、点灯負荷２は光束と色温度とが変化する。導通位相角１５０°〜１８０°では、点灯負荷２は一定の光束（１００％点灯）および色温度である。
【００７０】
位相調光器３６の信号がない場合（例えば第２のスイッチ３７が位相調光器３６の入出力を短絡した場合）、スイッチ３４がオン状態（導通位相角１８０°）で一定であるので、点灯負荷２は第１の点灯状態（図１０の（１））となる。このときに、スイッチ３４の開閉が行われると、検出回路３５は、パルス信号６６の消失と再開とを検出して停電と復電とを検出する。これにより、点灯負荷２は第２の点灯状態（図１０の（２））に変更する。一方、位相調光器３６の信号が検出されると、この信号に応じて点灯負荷２の点灯状態（調光レベル、調色レベル）は変更される。
【００７１】
以上の説明より、本実施形態によれば、位相調光器３６の信号がない場合であっても、スイッチ（通電遮断部）３４の動作に応じて点灯負荷２の点灯状態を選択することができる。
【００７２】
なお、スイッチ３４がオン状態で位相調光器３６が動作している場合に、第２のスイッチ３７を一時的に開閉（位相調光器３６の入出力を一時的に短絡）してパルス信号６６を導通位相角１８０°に瞬間的に変化させることによって、調光の機能（例えば調光・調色の特性データ）を切り替えてもよい。これにより、点灯負荷２を消灯させることなく点灯負荷２の動作を変更することができる。
【００７３】
また、第２のスイッチ３７を用いずに、位相調光器３６が信号を出力している状態でスイッチ３４の開閉を行うことによって、点灯装置３の動作を変更してもよい。
【符号の説明】
【００７４】
１  照明装置
２  点灯負荷
３  点灯装置
３１  電力供給部
３３  マイコン
３３２  信号検出部
３３３  点灯制御部
３３４  遮断検出部
３４  スイッチ（通電遮断部）
６１  調光信号（点灯制御信号）
６６  パルス信号（点灯制御信号）
【図１】
2013069501.tif 000003
【図２】
2013069501.tif 000004
【図３】
2013069501.tif 000005
【図４】
2013069501.tif 000006
【図５】
2013069501.tif 000007
【図６】
2013069501.tif 000008
【図７】
2013069501.tif 000009
【図８】
2013069501.tif 000010
【図９】
2013069501.tif 000011
【図１０】
2013069501.tif 000012